(57)【要約】   【課題】  演奏者が確実に所望の音色の楽音を発音させる。  【解決手段】  演奏者が手で保持するための打楽器本体１１には、気圧センサ２２と加速度センサ２３とが配置される。楽器部１９のＣＰＵ１２は、所定の音色の楽音を発生する音源部３１に対して、発音の指示を与える。ＣＰＵ１２は、加速度センサ２３からの加速度センサ値に基づいて、楽音の発音タイミングの到来を判断し、気圧センサ２２からの気圧センサ値に基づいて、複数の音色のうち所定の何れかの音色を発音すべきかを判断し、発音タイミングが到来したときに、発音すべき音色の楽音の発音を、音源部３１に指示する。【選択図】  図１
2011237662.tif 000002
【特許請求の範囲】
【請求項１】
演奏者が手で保持するための保持部材と、
前記保持部材内に配置された気圧センサと、
前記保持部材内に配置された加速度センサと、
所定の音色の楽音を発生する楽音発生手段に対して、発音の指示を与える制御手段と、を備え、
前記制御手段が、前記加速度センサからの加速度センサ値に基づいて、楽音の発音タイミングの到来を判断し、前記気圧センサからの気圧センサ値に基づいて、複数の音色のうち所定の何れかの音色を発音すべきかを判断し、前記発音タイミングが到来したときに、前記発音すべき音色の楽音の発音を、前記楽音発生手段に指示することを特徴とする電子楽器。
【請求項２】
前記制御手段が、前記気圧センサから予め気圧基準値を受理して、前記気圧基準値を記憶手段に格納し、前記気圧センサからの気圧センサ値と、前記気圧基準値と、を比較して前記発音すべき楽音の音色を決定することを特徴とする請求項１に記載の電子楽器。
【請求項３】
前記制御手段は、前記気圧センサ値が、前記気圧基準値より大きい場合に、２つの定められた音色のうちの第１の音色を発音すべきであると決定し、前記気圧基準値以下である場合に、前記２つの定められた音色のうち第２の音色を発音すべきであると決定することを特徴とする請求項２に記載の電子楽器。
【請求項４】
複数の気圧基準値が、記憶手段に格納され、
前記制御手段は、前記気圧センサ値が、前記複数の気圧基準値により規定される範囲の何れかに属するかを判断し、前記範囲のそれぞれに対応付けられた音色を発音すべきであると判断することを特徴とする請求項２に記載の電子楽器。
【請求項５】
前記制御手段は、前記加速度センサ値がピーク値に到達したときに、前記ピーク値に基づくベロシティにて楽音を発音することを、前記楽音発生手段に指示することを特徴とする請求項１ないし４の何れか一項に記載の電子楽器。
【請求項６】
前記保持部材が、長手方向に延びるスティック状部材であり、前記気圧センサが、前記スティック部材において演奏者が保持する根元側に配置され、前記加速度センサが、前記根元側と逆の先端側に配置されたことを特徴とする請求項１ないし４の何れか一項に記載の電子楽器。
【請求項７】
前記保持部材に、前記気圧センサおよび加速度センサが設けられ、かつ、前記気圧センサからの気圧センサ値および加速度センサからの加速度センサ値を送信するデータ送信手段を備えた本体と、
前記気圧センサ値および加速度センサ値を受信するデータ受信手段と、前記制御手段と、を備えた電子楽器部と、を備えたことを特徴とする請求項１ないし６の何れか一項に記載の電子楽器。
【発明の詳細な説明】
【技術分野】
【０００１】
本発明は、演奏者が手で保持して、振ることにより楽音を発生することができる電子楽器に関する。
【背景技術】
【０００２】
従来、スティック状の部材にセンサを設け、演奏者が部材を手で保持して振ることで、センサが、当該部材の動きを検出し、楽音を発音するように構成された電子楽器が提案されている。特に、この電子楽器では、スティック状の部材は、ドラムのスティックや太鼓の撥のような形状を備え、演奏者があたかもドラムや太鼓をたたくような動作に応じて、打楽器音が発声されるようになっている。
【０００３】
たとえば、特許文献１には、スティック状の部材に加速度センサを設け、加速度センサからの出力（加速度センサ値）が、所定の閾値に達した後、所定時間が経過すると、楽音を発音するように構成された電子楽器が提案されている。
【先行技術文献】
【特許文献】
【０００４】
【特許文献１】特許第２６６３５０３号
【特許文献２】特願２００７−２５６７３６
【発明の概要】
【発明が解決しようとする課題】
【０００５】
また、特許文献２に開示されるように、複数の音色を発音可能として、地磁気センサを用いて、スティック状の部材が向けられる方向にしたがって、複数の音色のうち、何れかを発音する電子楽器も提案されている。
【０００６】
特許文献２に提案された電子楽器では、演奏者が同一方向に向いた状態で演奏しないと、演奏者は自己の方位およびスティックの方位を把握できなくなり、所望の音色の楽音を発音させることが困難になる場合もある。
【０００７】
本発明は、演奏者が確実に所望の音色の楽音を発音させることが可能な電子楽器を提供することを目的とする。
【課題を解決するための手段】
【０００８】
本発明の目的は、演奏者が手で保持するための保持部材と、
前記保持部材内に配置された気圧センサと、
前記保持部材内に配置された加速度センサと、
所定の音色の楽音を発生する楽音発生手段に対して、発音の指示を与える制御手段と、を備え、
前記制御手段が、前記加速度センサからの加速度センサ値に基づいて、楽音の発音タイミングの到来を判断し、前記気圧センサからの気圧センサ値に基づいて、複数の音色のうち所定の何れかの音色を発音すべきかを判断し、前記発音タイミングが到来したときに、前記発音すべき音色の楽音の発音を、前記楽音発生手段に指示することを特徴とする電子楽器により達成される。
【０００９】
好ましい実施態様においては、前記制御手段が、前記気圧センサから予め気圧基準値を受理して、前記気圧基準値を記憶手段に格納し、前記気圧センサからの気圧センサ値と、前記気圧基準値と、を比較して前記発音すべき楽音の音色を決定する。
【００１０】
より好ましい実施態様においては、前記制御手段は、前記気圧センサ値が、前記気圧基準値より大きい場合に、２つの定められた音色のうちの第１の音色を発音すべきであると決定し、前記気圧基準値以下である場合に、前記２つの定められた音色のうち第２の音色を発音すべきであると決定する。
【００１１】
また、好ましい実施態様においては、複数の気圧基準値が、記憶手段に格納され、
前記制御手段は、前記気圧センサ値が、前記複数の気圧基準値により規定される範囲の何れかに属するかを判断し、前記範囲のそれぞれに対応付けられた音色を発音すべきであると判断する。
【００１２】
別の好ましい実施態様においては、前記制御手段は、前記加速度センサ値がピーク値に到達したときに、前記ピーク値に基づくベロシティにて楽音を発音することを、前記楽音発生手段に指示する。
【００１３】
より好ましい実施態様においては、前記保持部材が、長手方向に延びるスティック状部材であり、前記気圧センサが、前記スティック部材において演奏者が保持する根元側に配置され、前記加速度センサが、前記根元側と逆の先端側に配置される。
【００１４】
また、好ましい実施態様においては、前記保持部材に、前記気圧センサおよび加速度センサが設けられ、かつ、前記気圧センサからの気圧センサ値および加速度センサからの加速度センサ値を送信するデータ送信手段を備えた本体と、
前記気圧センサ値および加速度センサ値を受信するデータ受信手段と、前記制御手段と、を備えた電子楽器部と、を備える。
【発明の効果】
【００１５】
本発明によれば、演奏者が確実に所望の音色の楽音を発音させることが可能な電子楽器を提供することが可能となる。
【図面の簡単な説明】
【００１６】
【図１】図１は、本発明の実施の形態にかかる電子楽器の外観を示す図である。
【図２】図２は、本実施の形態にかかる打楽器本体の構成を示すブロックダイヤグラムである。
【図３】図３は、本実施の形態にかかる打楽器本体において実行される処理の例を示すフローチャートである。
【図４】図４は、本実施の形態にかかる初期設定処理の例を示すフローチャートである。
【図５】図５は、本実施の形態にかかる楽器部において実行される処理の例を示すフローチャートである。
【図６】図６は、本実施の形態にかかる発音処理の例を示すフローチャートである。
【図７】図７は、加速度センサ値の例を説明するグラフである。
【図８】図８（ａ）、（ｂ）は、それぞれ、演奏者による打楽器本体１１の使用の例を示す図である。
【図９】図９は、他の実施の形態にかかる初期設定処理の例を示すフローチャートである。
【図１０】図１０は、他の実施の形態にかかる発音処理の部分の例を示すフローチャートある。
【発明を実施するための形態】
【００１７】
以下、添付図面を参照して、本発明の実施の形態について説明する。図１は、本発明の実施の形態にかかる電子楽器の外観を示す図である。図１に示すように、本実施の形態にかかる電子楽器１０は、演奏者が手に持って振るための、長手方向に延びるスティック状の打楽器本体１１を有している。また、電子楽器１０は、楽音を発生するための楽器部１９を備え、楽器部１９は、ＣＰＵ１２、インタフェース（Ｉ／Ｆ）１３、ＲＯＭ１４、ＲＡＭ１５、表示部１６、入力部１７およびサウンドシステム１８を有する。打楽器本体１１は、後述するように、演奏者が保持する根元側に気圧センサ２２を有し、根元側と反対の先端側に加速度センサ２３を有する。
【００１８】
Ｉ／Ｆ１３は、打楽器本体１１からのセンサ値に基づくデータを受け入れ、ＲＡＭ１５に格納するとともに、ＣＰＵ１２にデータの受け入れを通知する。本実施の形態においては、たとえば、打楽器本体１１の根元側端部に赤外線通信装置２４が設けられ、Ｉ／Ｆ１３にも赤外線通信装置３３が設けられている。したがって、楽器部１９は、打楽器本体１１の赤外線通信装置２４が発した赤外線を、Ｉ／Ｆ１３の赤外線通信装置３３が受信することで、打楽器本体１１からのデータを受信することができる。
【００１９】
ＣＰＵ１２は、電子楽器１０全体の制御、特に、電子楽器の楽器部１９の制御、入力部１７を構成するキースイッチ（図示せず）の操作の検出、Ｉ／Ｆ１３を介して受信したセンサ値にしたがった楽音の発生など、種々の処理を実行する。
【００２０】
ＲＯＭ１４は、電子楽器１０全体の制御、特に、電子楽器の楽器部１９の制御、入力部１７を構成するキースイッチ（図示せず）の操作の検出、Ｉ／Ｆ１３を介して受信したセンサ値にしたがった楽音の発生など、種々の処理プログラムを格納する。また、ＲＯＭ１４は、種々の音色の波形データ、特に、バスドラム、ハイハット、スネア、シンバルなど打楽器の波形データを格納する波形データエリアを含む。無論、打楽器の波形データに限定されず、ＲＯＭ２２には、フルート、サックス、トランペットなどの管楽器、ピアノなどの鍵盤楽器、ギターなどの弦楽器の音色の波形データが格納されていても良い。
【００２１】
ＲＡＭ１５は、ＲＯＭ１４から読み出されたプログラムや、処理の過程で生じたデータやパラメータを記憶する。処理の過程で生じたデータには、入力部１７のスイッチの操作状態、Ｉ／Ｆ１３を介して受信したセンサ値、楽音の発音状態（発音フラグ）などが含まれる。
【００２２】
表示部１６は、たとえば、液晶表示装置（図示せず）を有し、選択された音色などを表示することができる。また、入力部１７は、スイッチ（図示せず）を有し、音色の指定や、センサの初期値の設定を指示することができる。
【００２３】
サウンドシステム１８は、音源部３１、オーディオ回路３２およびスピーカ３５を備える。音源部３１は、ＣＰＵ１２からの指示にしたがって、ＲＯＭ１５の波形データエリアから波形データを読み出して、楽音データを生成して出力する。オーディオ回路３２は、音源部３１から出力された楽音データをアナログ信号に変換し、変換されたアナログ信号を増幅してスピーカ３５に出力する。これによりスピーカ３５から音響信号が出力される。
【００２４】
図２は、本実施の形態にかかる打楽器本体の構成を示すブロックダイヤグラムである。図２に示すように、打楽器本体１１は、演奏者が保持する根元側に気圧センサ２２を有し、根元側と反対の先端側に加速度センサ２３を有する。気圧センサ２２は、たとえば、ピエゾ抵抗素子を有し、気圧を示すデータ値を出力することができる。また、加速度センサ２３は、たとえば、静電容量型或いはピエゾ抵抗素子型のセンサであり、生じた加速度を示すデータ値を出力することができる。
【００２５】
また、打楽器本体１１は、ＣＰＵ２１、赤外線通信装置２４、ＲＯＭ２５、ＲＡＭ２６、インタフェース（Ｉ／Ｆ）２７および入力部２８を有する。ＣＰＵ２１は、打楽器本体１１におけるセンサ値の取得、気圧センサ値の初期値の設定、センサ値のＩ／Ｆ２７および赤外線通信装置２４を介した送信の制御などの処理を実行する。ＲＯＭ２５には、打楽器本体１１におけるセンサ値の取得、気圧センサ値の初期値の設定、センサ値のＩ／Ｆ２７および赤外線通信装置２４を介した送信の制御などの処理プログラムが格納される。ＲＡＭ２６には、センサ値など、処理において取得され或いは生成された値が格納される。Ｉ／Ｆ２７は、ＣＰＵ２１からの指示にしたがって赤外線通信装置２４にデータを出力する。また、入力部２８は、スイッチ（図示せず）を有する。
【００２６】
図３は、本実施の形態にかかる打楽器本体において実行される処理の例を示すフローチャートである。図３に示すように、打楽器本体１１のＣＰＵ２１は、ＲＡＭ２６のデータのクリアなどを含むイニシャライズ処理を実行する（ステップ３０１）。次いで、ＣＰＵ２１は、入力部２８のスイッチ操作により初期設定の指示があったかを判断する（ステップ３０２）。ステップ３０２でＹｅｓと判断された場合には、ＣＰＵ２１は、初期設定処理を実行する（ステップ３０３）。
【００２７】
図４は、本実施の形態にかかる初期設定処理の例を示すフローチャートである。初期設定処理においては、演奏者が、入力部２８の設定スイッチ（図示せず）をオンしたときの気圧値を、気圧基準値として登録する処理である。
【００２８】
ＣＰＵ２１は、入力部２８の設定スイッチがオンされたかを判断する（ステップ４０１）。本実施の形態においては、演奏者は、たとえば、打楽器本体１１の気圧センサ２２が位置する根元側を手に持ち、かつ、手を垂直方向の身体のほぼ中心位置（たとえば、腰の位置）に持ってきて設定スイッチをオンする。無論、設定スイッチをオンする位置は、上述した位置に限定されず、演奏者は所望の位置で、設定スイッチをオンして良い。
【００２９】
ステップ４０１でＹｅｓと判断された場合には、ＣＰＵ２１は、気圧センサ２２から気圧センサ値を取得する（ステップ４０２）。次いで、ＣＰＵ２１は、取得した気圧センサ値を、気圧基準値としてＲＡＭ１５に一時的に記憶する（ステップ４０３）。その後、ＣＰＵ２１は、気圧基準値をＩ／Ｆ２７に出力し、Ｉ／Ｆ２７が、赤外線通信装置２４に気圧基準値を赤外線信号として送信させる（ステップ４０４）。赤外線通信装置２４からの赤外線信号は楽器部１９の赤外線通信装置３３により受信される。
【００３０】
初期設定処理が終了すると、ＣＰＵ２１は、気圧センサ２２のセンサ値（気圧センサ値）を取得し（ステップ３０４）、また、加速度センサ２３のセンサ値（加速度センサ値）を取得する（ステップ３０５）。ＣＰＵ２１は、取得した気圧センサ値および加速度センサ値をＩ／Ｆ２７に出力し、Ｉ／Ｆ２７が、赤外線通信装置２４に、気圧センサ値および加速度センサ値の赤外線信号として送信させる（ステップ３０６）。赤外線通信装置２４からの赤外線信号は楽器部１９の赤外線通信装置３３により受信される。
【００３１】
図５は、本実施の形態にかかる楽器部において実行される処理の例を示すフローチャートである。楽器部１９のＣＰＵ１２は、ＲＡＭ１５のデータのクリア、表示部１６の画面上の画像のクリア、音源部３１のクリアなどを含むイニシャライズ処理を実行する（ステップ５０１）。
【００３２】
次いで、ＣＰＵ１２は、スイッチ処理を実行する（ステップ５０２）。スイッチ処理において、ＣＰＵ１２は、入力部１７のスイッチ操作にしたがって、発音する楽音の音色の設定などを実行する。本実施の形態では、打楽器本体１１の位置によって、２種類の音色のうち、何れかの音色で楽音を発音することができる。打楽器本体１１が後述する気圧基準値に基づく基準位置より上であるときには、第１の音色の楽音が発音され、基準位置以下であるときには第２の楽音が発音される。したがって、演奏者は、入力部１７のスイッチを操作して、上記第１の音色および第２の音色を指定し、ＣＰＵ１２は、指定された音色の情報をＲＡＭ１５に格納する。第１の音色としてハイハットやシンバルを設定し、第２の音色として、スネアドラムやバスドラムを設定することができる。
【００３３】
ＣＰＵ１２は、Ｉ／Ｆ１３が気圧基準値を新たに受信しているかを判断する（ステップ５０３）。ステップ５０３でＹｅｓと判断された場合には、ＣＰＵ１２は、Ｉ／Ｆ１３が受信した気圧基準値を、ＲＡＭ１５に格納する（ステップ５０４）。また、ＣＰＵ１２は、Ｉ／Ｆ１３が気圧センサ値および加速度センサ値を新たに受信しているかを判断する（ステップ５０５）。ステップ５０５でＹｅｓと判断された場合には、ＣＰＵ１２は、Ｉ／Ｆ１３が受信した気圧センサ値および加速度センサ値を、ＲＡＭ１５に格納する（ステップ５０６）。
【００３４】
次いで、ＣＰＵ１２は発音処理を実行する（ステップ５０７）。図６は、本実施の形態にかかる発音処理の例を示すフローチャートである。図６に示すように、ＣＰＵ１２は、ＲＡＭ１５に格納された発音フラグが「１」であるかを判断する（ステップ６０１）。ステップ６０１でＹｅｓと判断された場合には、ＣＰＵ１２は、ＲＡＭ１５に格納された加速度センサ値を参照して、加速度センサ値がピーク値に達しているかを判断する（ステップ６０２）。図７は、加速度センサ値の例を説明するグラフである。本実施の形態にかかる打楽器本体１１は、演奏者の手で保持される。演奏者が打楽器本体１１を振ることで、打楽器本体１１には加速度が生じ、生じた加速度が加速度センサ２３により検出される。
【００３５】
打楽器本体１１を振ることにより生じる加速度は、「０」からスタートして、時間の経過とともに上昇し、その後下降して「０」に戻る。図７においてグラフ７０１、７１１は、それぞれ、「０」からスタートして上昇し、その後下降した加速度曲線の例を示している。ＣＰＵ１２は、ＲＡＭ１５に格納された加速度センサ値を参照して、加速度センサ値が、上昇から下降に転じたことを検出する（符号７０３、７１３参照）。これにより、加速度センサ値がピーク値（符号７０２、７１２）に到達したことを判定できる。
【００３６】
ステップ６０２でＹｅｓと判断された場合には、ＣＰＵ１２は、ＲＡＭ１５に格納された気圧センサ値が、気圧基準値以下であるかを判断する（ステップ６０３）。ステップ６０３でＮｏと判断された場合、つまり、気圧センサ値が気圧基準値より大きい場合には、ＣＰＵ１２は、第１の音色で、かつ、加速度センサ値に対応するベロシティでのノートオンイベントを生成する（ステップ６０４）。図７の例で、演奏者が打楽器本体１１を振ってピーク値７０２に達した時には、ピーク値（＝ａ１）にしたがったベロシティが取得される。また、ピーク値７１２に達したときには、ピーク値（＝ａ２＜ａ１）にしたがったベロシティが取得される。この取得されるベロシティは、想定される加速度の最大値ａｍａｘとの比に基づいて、たとえば、以下のように算出されれば良い。
【００３７】
ベロシティ＝１２７×（ピーク値ａ／ａｍａｘ）  （ａｍａｘ＞ａの場合には、ａ→ａｍａｘとする。また、ベロシティはＭＩＤＩにしたがって０〜１２７の値をとる。）
また、ステップ６０３でＹｅｓと判断された場合には、ＣＰＵ１２は、第２の音色で、かつ、加速度センサ値に対応するベロシティでのノートオンイベントを生成する（ステップ６０５）。ステップ６０４、６０５の終了後、ＣＰＵ１２は、生成したノートオンイベントを音源部３１に送信する（ステップ６０６）。音源部３１はノートオンイベントを受信すると、指定された音色の波形データをＲＯＭから読み出し、読み出された波形データに、ベロシティに対応する音量データを乗じて楽音データを生成する。楽音データは、オーディオ回路３２に与えられ、これにより、楽音がスピーカ３５から発生される。また、ＣＰＵ１２は、ＲＡＭ１５中の発音フラグを「１」にセットする（ステップ６０７）。
【００３８】
ステップ６０１でＮｏと判断された場合には、ＣＰＵ１２は、音源部３１において発生されている楽音データの音量レベルが「０」であるかを判断する（ステップ６０８）。ステップ６０８でＹｅｓと判断された場合には、ＣＰＵ１２は、ＲＡＭ１５中の発音フラグを「０」にリセットする（ステップ６０９）。
【００３９】
発音処理（ステップ５０７）が終了すると、ＣＰＵ１２は、その他の処理（たとえば、表示部１６の画面上に表示される画像の更新などを実行する（ステップ５０８）。
【００４０】
図８（ａ）、（ｂ）は、それぞれ、演奏者による打楽器本体１１の使用の例を示す図である。図８（ａ）、（ｂ）に示す例では、演奏者は、破線８０１の位置で、打楽器本体１１の設定スイッチをオンしており、この基準位置８０１における気圧が気圧基準値となっている。たとえば、図８（ａ）に示すように、演奏者が打楽器本体１１を振り、基準位置８０１以下の位置で加速度がピークに達すると、楽器部１９（図８（ａ）では図示せず）から、第２の音色による楽音が発生する。また、図８（ｂ）に示すように、演奏者が打楽器本体１１を振り、基準位置８０１に示す位置より高い位置で加速度がピークに達すると、楽器部１９（図８（ｂ）では図示せず）から、第１の音色による楽音が発生する。
【００４１】
本実施の形態によれば、打楽器本体１１に、気圧センサ２２および加速度センサ２３を設け、打楽器本体１１からの気圧センサ値および加速度センサ値を、楽器部１９のＩ／Ｆ１３が受信可能である。また、楽器部１９のＣＰＵ１２は、加速度センサ値に基づいて、楽音の発音タイミングの到来を判断し、気圧センサ値に基づいて、複数の音色のうち所定の何れかの音色を発音すべきかを判断し、発音タイミングが到来したときに、発音すべき音色の楽音の発音を、サウンドシステム１８の音源部３１に指示する。したがって、演奏者が、打楽器本体１１を振った位置（高さ）の気圧センサ値に基づいて、所定の音色の楽音を発音することが可能となる。
【００４２】
また、本実施の形態においては、気圧センサから予め気圧基準値を受理して記気圧基準値を、楽器部１９のＲＡＭ１５に格納し、ＣＰＵ１２は、気圧センサ値と気圧基準値と、を比較して、発音すべき楽音の音色を決定する。したがって、演奏者は、予め基準位置を決めておき、その位置における気圧センサ値を、気圧基準値として登録しておくことで、打楽器本体１１の振る位置によって、所望の音色の楽音を発音することが可能となる。
【００４３】
上下方向の位置は、方位と比較して、演奏者は把握することが容易であるため、演奏者は自己が把握した基準位置の上下で、打楽器本体１１を振ることで、確実に所望の音色の楽音を発音することが可能となる。
【００４４】
特に、本実施の形態においては、気圧センサ値が、気圧基準値より大きい場合に、２つの定められた音色のうちの第１の音色を発音すべきであると決定し、気圧基準値以下である場合に、２つの定められた音色のうち第２の音色を発音すべきであると決定する。したがって、演奏者は、打楽器本体１１を、基準位置の上側で振ることで第１の音色の楽音を発音させ、基準位置の下側で振ることで第２の音色の楽音を発音することができる。
【００４５】
また、本実施の形態においては、ＣＰＵ１２は、加速度センサ値がピーク値に到達したときに、ピーク値に基づくベロシティにて楽音を発音する。したがって、演奏者による打楽器本体１１の振り方（振りの鋭さ）に応じた音量の楽音を発生することが可能となる。
【００４６】
さらに、本実施の形態においては、打楽器本体１１は、長手方向に延びるスティック状の部材であり、気圧センサ２２が、スティック状の部材において演奏者が保持する根元側に配置され、加速度センサ２３が、根元側と逆の先端側に配置される。気圧センサ２２を演奏者が保持する位置の付近に配置することで、演奏者による基準位置の把握をより容易にすることができる。
【００４７】
また、本実施の形態においては、打楽器本体１１は、気圧センサ２２および加速度センサ２３が設けられ、気圧センサ値および加速度センサ値を楽器部１９に送信することができる。楽器部１９は、気圧センサ値および加速度センサ値を受信して、これらに基づいて、楽音を発生することができる。このような構成により、打楽器本体１１を軽量化することが可能となる。
【００４８】
本発明は、以上の実施の形態に限定されることなく、特許請求の範囲に記載された発明の範囲内で、種々の変更が可能であり、それらも本発明の範囲内に包含されるものであることは言うまでもない。
【００４９】
たとえば、前記第１の実施の形態では、演奏者は、ある位置で、設定スイッチをオンすることで、設定スイッチをオンした位置が基準位置となり、打楽器本体１１が、基準位置より上、或いは、下の何れに位置するかによって、２種類の音色のうちの何れかの音色の楽音を発生している。しかしながら、これに限定されるものではなく、３種類以上の音色の何れかの楽音を発生させることも可能である。以下、打楽器本体１１の位置によって３種類の音色の何れかの楽音を発生させる例について説明する。
【００５０】
図９は、他の実施の形態にかかる初期設定処理の例を示すフローチャートである。図９に示すように、ＣＰＵ２１は、入力部２８の設定スイッチがオンされたかを判断する（ステップ９０１）。ステップ９０１でＹｅｓと判断された場合には、ＣＰＵ２１は、気圧センサ２２から気圧センサ値を取得する（ステップ９０２）。次いで、ＣＰＵ２１は、取得した気圧センサ値を、第１の気圧値としてＲＡＭ１５に一時的に記憶する（ステップ９０３）。また、ＣＰＵ２１は、入力部２８の設定スイッチが再度オンされたかを判断する（ステップ９０４）。ステップ９０４でＹｅｓと判断された場合には、ＣＰＵ２１は、気圧センサ２２から気圧センサ値を取得する（ステップ９０５）。次いで、ＣＰＵ２１は、取得した気圧センサ値を、第２の気圧値としてＲＡＭ１５に一時的に記憶する（ステップ９０６）。
【００５１】
ＣＰＵ２１は、第１の気圧値が第２の気圧値より大きいかを判断する（ステップ９０７）。ステップ９０７でＹｅｓと判断された場合には、第１の値を第１基準値として、第２の値を第２基準値として、ＲＡＭ１５に一時的に記憶する（ステップ９０８）。ステップ９０７でＮｏと判断された場合には、ＣＰＵ２１は、第２の値を第１基準値して、第１の値を第２基準値として、ＲＡＭ１５に一時的に記憶する（ステップ９０９）。その後、ＣＰＵ２１は、第１基準値および第２基準値をＩ／Ｆ２７に出力し、Ｉ／Ｆ２７が、赤外線通信装置２４に第１基準値および第２基準値を赤外線信号として送信させる（ステップ９１０）。赤外線通信装置２４からの赤外線信号は楽器部１９の赤外線通信装置３３により受信される。これらの第１の基準値および第２の基準値は、楽器部１９においてＲＡＭ１５に格納される。
【００５２】
図１０は、他の実施の形態にかかる発音処理の部分の例を示すフローチャートある。図１０では、図６のステップ６０２がＹｅｓであった場合に実行される。ステップ６０２でＹｅｓと判断された場合には、ＣＰＵ１２は、ＲＡＭ１５に格納された気圧センサ値が、第１基準値より大きいかを判断する（ステップ１００１）。ステップ１００１でＹｅｓと判断された場合には、ＣＰＵ１２は、第１の音色で、かつ、加速度センサ値に対応するベロシティでのノートオンイベントを生成する（ステップ１００２）。なお、他の実施の形態においては、３つの音色（第１の音色から第３の音色）を指定する情報が、ＲＡＭ１５に格納されている。
【００５３】
ステップ１００１でＮｏと判断された場合には、ＣＰＵ１２は、気圧センサ値が第２の基準値より大きいかを判断する（ステップ１００３）。ステップ１００３でＹｅｓ、つまり、第２の基準値＜気圧センサ値≦第１基準値である場合には、ＣＰＵ１２は、第２の音色で、かつ、加速度センサ値に対応するベロシティでのノートオンイベントを生成する（ステップ１００４）。ステップ１００３でＮｏと判断された場合には、ＣＰＵ１２は、第３の音色で、加速度センサ値に対応するベロシティでのノートオンイベントを生成する（ステップ１００５）。ステップ１００２、１００４、１００５の終了後は、図６のステップ６０６に進む。
【００５４】
この実施の態様では、第１基準値に基づく第１の基準位置と、第２基準値に基づく第２の基準位置（第１の基準位置＞第２の基準位置）が設けられ、第１の基準位置より高い位置で、打楽器本体１１の加速度がピークになると、第１の音色の楽音が発せられる。また、第２の基準位置より高く、第１の基準位置以下の位置で、打楽器本体１１の加速度がピークになると、第２の音色の楽音が発生される。第２の基準位置以下の位置で、打楽器本体の加速度がピークになると、第３の音色の楽音が発生される。この実施の形態においては、２つの基準位置（気圧センサの２つの基準値）にしたがって３種類の音色の楽音が発生できる。基準位置を増やすことにより、さらに多種の音色の楽音が発生可能となる。
【００５５】
また、前記実施の形態においては、打楽器本体１１には、気圧センサ２２、加速度センサ２３およびＣＰＵ２１、Ｉ／Ｆ２７、赤外線通信装置２４など、センサ値を取得して楽器部１９に送信するための構成を備えている。また、打楽器本体１１とは別体で、楽器部１９を設け、受信したセンサ値に基づく楽音を発生するように構成されている。しかしながら、これに限定されるものではなく、打楽器本体１１内に、音源部、オーディオ回路などを内蔵し、また、ＲＯＭに波形データを格納し、打楽器本体１１で楽音データを生成して発音できるように構成しても良い。
【００５６】
或いは、楽器部１９が、波形データを格納したＲＯＭ、および、音源部、オーディオ回路を有するサウンドシステムを備えても良い。この構成では、打楽器本体のＣＰＵが、加速度センサのセンサ値および気圧センサのセンサ値に基づいてノートオンイベントを生成して、楽器部の音源部にノートオンイベントを送信するように構成すれば良い。
【００５７】
また、本実施の形態においては、打楽器本体１１と楽器部１９との間は、赤外線通信装置２４、３３を用いて赤外線信号にてデータが通信されているが、これに限定されるものではない。たとえば、打楽器本体１１と楽器部１９とは他の無線通信でデータ通信してもよいし、ワイヤケーブルによって有線でデータ通信するように構成しても良い。
【００５８】
さらに、前記実施の形態においては、加速度センサのセンサ値がピークに達したときを検出して、ＣＰＵ１２が、そのタイミングで楽音の発音を音源部３１に指示しているが、発音タイミングはこれに限定されるものではない。
【符号の説明】
【００５９】
１０        電子楽器
１１        打楽器本体
１２        ＣＰＵ
１３        Ｉ／Ｆ
１４        ＲＯＭ
１５        ＲＡＭ
１６        表示部
１７        入力部
１８        サウンドシステム
１９        楽器部
２１        ＣＰＵ
２２        気圧センサ
２３        加速度センサ
２４        赤外線通信装置
２５        ＲＯＭ
２６        ＲＡＭ
２７        Ｉ／Ｆ
３１        音源部
３２        オーディオ回路
３３        赤外線通信装置
【図１】
2011237662.tif 000003
【図２】
2011237662.tif 000004
【図３】
2011237662.tif 000005
【図４】
2011237662.tif 000006
【図５】
2011237662.tif 000007
【図６】
2011237662.tif 000008
【図７】
2011237662.tif 000009
【図８】
2011237662.tif 000010
【図９】
2011237662.tif 000011
【図１０】
2011237662.tif 000012